(57)【要約】【課題】各種外構部材に対し、共通に取付、及び使用できる防水型照明装置を提供する。【解決手段】  透光性を有すると共に、管内が防水封止された直線状のパイプ４の管内に、直線状に並べられた複数の発光ダイオード５が挿入されることにより構成される光源部２と、光源部２の長手方向に沿って配設され、該光源部２を支持する支持部３と、を備え、支持部３は、光源部２の発光方向に対する一方の側面側に配設され、所定の部材への取付に使用される平面である取付板７と、光源部２の非発光方向側に配設されるとともに、該光源部２を保持するクランプ８が複数配設される平面である保持板９と、光源部２の発光方向に対する他方の側面に配設され、光源部２から発せられる光を遮光する平面であるカバー板１０とにより構成される。【選択図】図３
2011119147.tif 000002
【特許請求の範囲】
【請求項１】
透光性を有すると共に、管内が防水封止された直線状のパイプの管内に、直線状に並べられた複数の発光ダイオードが挿入されることにより構成される光源部と、
前記光源部の長手方向に沿って配設され、該光源部を支持する支持部と、を備え、
前記支持部は、前記光源部の発光方向に対する一方の側面側に配設され、所定の部材への取付に使用される平面である取付板と、
前記光源部の非発光方向側に配設されるとともに、該光源部を保持するクランプが複数配設される平面である保持板と、
前記光源部の発光方向に対する他方の側面に配設され、前記光源部から発せられる光を遮光する平面であるカバー板とにより構成されることを特徴とする防水型照明装置。
【請求項２】
前記カバー板が、前記保持板に、磁気吸着により接続されていることを特徴とする請求項１に記載の防水型照明装置。
【発明の詳細な説明】
【技術分野】
【０００１】
本発明は、防水処理を施した防水型照明装置に関し、特に、外構用照明装置として好適に使用できる防水型照明装置に関する。
【背景技術】
【０００２】
住宅等建物の外構部材に取付けられる照明装置は、風雨等による故障が懸念されるため、防水性を持たせることが一般的である。例えば、特許文献１に開示される照明装置は、住宅の外壁を照明するものであり、外装材を貼って形成された前記外壁に、外装材の外側或いは内側に壁取付部材を取付け、前記外装材と前記壁取付部材との間に発光ダイオード等を使用した光源を配置する。この照明装置では、当該光源は、防水処理が施されており、また該光源から発せられる光は、前記外装材と前記壁取付部材との間に設けられた隙間から漏れ出し、この漏れ出した光により前記外壁を照明できるとされている。
【先行技術文献】
【特許文献】
【０００３】
【特許文献１】特開２００８−１０６５８９号公報
【発明の概要】
【発明が解決しようとする課題】
【０００４】
しかしながら、特許文献１に開示される照明装置は、建物のその他の外構部材、例えば、バルコニーや、ドア枠、アプローチ等に適用する際には、それらにあわせて、光源、壁取付部材等の形状、寸法等を都度設計し直さなければならない。そのため、前記照明装置を前記各外構部材に適用する場合は、その設計、製作にコスト、時間を要してしまう。更には、各外構部材用に設計・製作した照明装置毎に、外観状の形状に差異が発生し、美観を損ねることにもつながりかねない。
【０００５】
本発明は、上記のような課題を解決することを目的としてなされたものであり、各種外構部材に対し、共通に取付、及び使用できる防水型照明装置を提供することを目的としている。
【課題を解決するための手段】
【０００６】
上記目的を達成するために、請求項１の防水型照明装置は、透光性を有すると共に、管内が防水封止された直線状のパイプの管内に、直線状に並べられた複数の発光ダイオードが挿入されることにより構成される光源部と、前記光源部の長手方向に沿って配設され、該光源部を支持する支持部と、を備え、前記支持部は、前記光源部の発光方向に対する一方の側面側に配設され、所定の部材への取付に使用される平面である取付板と、前記光源部の非発光方向側に配設されるとともに、該光源部を保持するクランプが複数配設される平面である保持板と、前記光源部の発光方向に対する他方の側面に配設され、前記光源部から発せられる光を遮光する平面であるカバー板とにより構成されることを特徴とする。
【０００７】
請求項２の防水型照明装置は、前記カバー板が、前記保持板に、磁気吸着により接続されていることを特徴とする。
【発明の効果】
【０００８】
請求項１に記載の防水型照明装置は、直線状のパイプを用いて光源部を構成している。また、該光源部を支持する支持部も、前記光源部の長手方向に沿って配設されるものとしている。即ち、本防水型照明装置は、バー状の照明装置として構成されることにより面的に照明することができるので、汎用性があり、様々な外構部材に共通に取付けて使用することができ、もってデザインの統一を図ることもできるので、前記外構部材の美観を損ねることが無い。また、本防水型照明装置は、支持部に取付板を有することにより、外構部材に取付け一体化させることができ、意匠性に優れている。また、前記支持部の保持板は、クランプが配設されており、当該クランプを介して前記光源部を保持するので、前記光源部を容易に着脱することができる。これにより、本防水型照明装置では、その輸送の際や、前記支持部を前記外構部材に取付ける際等において、前記光源部を取外した状態で作業ができるので、当該作業の際に該光源部が損傷することを防止できる。更に、本防水型照明装置は、前記のことにより、清掃等のメンテナンスの際も、前記光源部を取外すことができるので、当該作業を容易に行うことができる。また、前記支持部のカバー板は、前記光源部から発せられた光を遮光できる。これにより、本防水型照明装置においては、前記光源部から発せられた光が、不要な方向にまで広がることを防止し、その照明領域を規定することができる。
【０００９】
請求項２に記載の防水型照明装置は、その照明領域を規定する前記カバー板が、磁気吸着により前記保持板に接続されているので、容易に該カバー板を前記保持板に対し着脱することができる。これにより、本防水型照明装置では、前記カバー板の取付位置を変更すること、或いは、該カバー板を大きさの異なるものに変更することができ、それにより、その照明領域を任意に変更することができる。また、前記のことにより、本防水型照明装置は、前記カバー板を取外して、清掃等のメンテナンスをすることができるので、当該作業を作業性良く行うことができる。
【図面の簡単な説明】
【００１０】
【図１】本発明の実施形態の防水型照明装置の正面図。
【図２】防水型照明装置の端部付近の拡大正面図。
【図３】防水型照明装置の端部付近の拡大平面図。
【図４】カバー板の取付位置の変更に関する説明図。
【図５】カバー板の大きさ変更に関する説明図
【図６】バルコニー笠木下に、防水型照明装置を設置した場合を示す断面図。
【図７】ドア枠に、防水型照明装置を設置した場合を示す断面図。
【図８】本発明の他の実施の形態の防水型照明装置の端部付近の拡大正面図。
【図９】図８に示す防水型照明装置の拡大側面図。
【発明を実施するための形態】
【００１１】
以下、図面を参照しつつ、本発明の実施の形態を説明する。本発明の防水型照明装置１は、光源部２、支持部３を有し構成される。本防水型照明装置１は、前記光源部２が防水処理されており、かつ、該光源部２、及び支持部３共にバー状の形状を有しているため住宅等の各種外構部材に適用することができる。
【００１２】
前記光源部２は、図１乃至３に示すように、所定の長さを有する直線状のパイプ４内に、複数の発光ダイオード５がライン状に並べられて挿入されている。パイプ４の一方の端部からは、図外の電源装置から、発光ダイオード５に電源供給するための電力線６が、該パイプ４内に引き込まれている。
【００１３】
前記パイプ４は、発光ダイオード５から発せられた光を透過するために透光性を有する材料により構成されている。また、パイプ４は、内部に挿入されている発光ダイオード５を水、湿気から守るため、防水性を有する材料により構成されている。例えば、パイプ４は、ガラス、ポリカーボネイトにより構成される。また、パイプ４の両端部は、図外のパッキン等を使用し、防水性を有した状態で封止されている。なお、パイプ４の端部から見た形状は、図３等において円形としているが、これに限定されるものではなく、必要に応じて楕円形、四角形等任意に構成してよい。
【００１４】
前記支持部３は、光源部２の長手方向に沿って配設され、また、光源部２の発光方向の一方の側面側に配設され、所定の外装部材１７への取付に供される平面である取付板７を有している。また、支持部３は、光源部２の非発光方向側に配設されると共に、光源部２を保持するクランプ８が複数配設される平面である保持板９を有し、さらに、光源部２の発光方向の他方の側面に配設され、光源部２から発せられる光を遮光する平面であるカバー板１０を有している。
【００１５】
前記取付板７は、図１に示すように、光源部２の長手方向に沿って、該光源部２より長く構成された面であり、図３に示すように保持板９と互いの一方の長辺において接合され、一体として構成されている。また、取付板７には、所定の外装部材１７への取付の際、螺子１７ａ等を通すための穴である取付穴７ａが設けられている。
【００１６】
前記保持板９も、光源部２の長手方向に沿って、該光源部２より長く構成された面であり、その長手方向に沿って、光源部２を保持するための複数のクランプ８が、リベット１１により取付けられている。このクランプ８は、光源部２を構成するパイプ４の外観形状に対応した曲面を有する２つのプレート１２を有し、当該プレート１２の間に、光源部２（パイプ４）を狭持するものである。また、前記保持板９の長手方向の両端には、強磁性体（例えば、フェライト）により構成された固定ブロック１３が、側面視Ｌ字型の取付金具１４、及びリベット１１を利用して取付けられている。
【００１７】
前記カバー板１０も、光源部２の長手方向に沿って、該光源部２より長く構成された面あり、その長辺のうち、光源部２の非発光側の辺から、垂直に突出する保持板９への固定用の平面である固定板１５が設けられている。固定板１５の長手方向に沿った両端部には強磁性体（例えば、鉄）により構成されるプレート１６が貼付されている。このプレート１６、或いは固定ブロック１３の少なくとも何れか一方が磁化されていることにより、該プレート１６と該固定ブロック１３は磁気吸着する。これにより、カバー板１０は、保持板９へ固定される。なお、固定板１５そのものが強磁性体として構成されている場合は、前記プレート１６の貼付は不要である。この場合は、固定板１５、或いは固定ブロック１３の少なくとも何れか一方が磁化されることにより、該固定板１５と該固定ブロック１３とが磁気吸着する。
【００１８】
ここで、上記のようにカバー板１０は、光源部２から発せられる光を遮光し、本防水型照明装置１の照明領域を規定する面である。このカバー板１０の取付位置を変更すること、或いは、該カバー板１０を大きさの異なるものに変更することにより、本防水型照明装置１の照明領域は、任意に変更することができる。以下では、このことに付き具体的に説明する。
【００１９】
まず、前記カバー板１０の取付け位置の変更による本防水型照明装置１の照明領域の変化は、図４に示すとおりである。同図は、取付板７が具備する取付穴７ａに通した螺子１７ａにより、本防水型照明装置１を所定の外装部材１７に螺子１７ａにより取付けた場合を示しており、同図（ａ）は、本防水型照明装置１を光源部２の端部方向から見た場合において、取付板７とカバー板１０の間隔が狭い場合を示している。また、同図（ｂ）は、同図（ａ）と比較して、取付板７とカバー板１０との間隔が広い場合を示している。光源部２による照明領域は、取付板７とカバー板１０の間隔が狭い場合において小さくなる。これは、光源部２から発せられた光のうち、カバー板１０に遮光される領域が大きくなるからである。一方、光源部２による照明領域は、取付板７とカバー板１０との間隔が広い場合において大きくなる。これは、光源部２から発せられた光のうち、カバー板１０遮光される領域が小さくなるからである。以上説明したように、防水型照明装置１の照明領域の大きさは、該カバー板１０の取付位置を変更することで、任意に変更することができる。
【００２０】
次に、前記カバー板１０を大きさの異なるものに変更することによる本防水型照明装置１の照明領域の変化は、図５に示すとおりである。同図は、図４と同様に、本防水型照明装置１を所定の外装部材１７に螺子１７ａにより取付けた場合を示しており、同図（ａ）は、本防水型照明装置１を光源部２の端部方向から見た場合において、カバー板１０の光源部２の下端からの突出長が小さい場合を示している。また、同図（ｂ）は、同図（ａ）と比較して、カバー板１０の光源部２の下端からの突出長が大きい場合を示している。光源部２による照明領域は、カバー板１０の光源部２の下端からの突出長が小さい場合において大きくなる。これは、光源部２から発せられた光のうち、カバー板１０に遮光される領域が小さくなるからである。一方、光源部２による照明領域は、カバー板１０の光源部２の下端からの突出長が大きい場合において小さくなる。これは、光源部２から発せられた光のうち、カバー板１０遮光される領域が大きくなるからである。以上説明したように、防水型照明装置１の照明領域の大きさは、該カバー板１０を大きさの異なるものに変更することで、任意に変更することができる。
【００２１】
以上説明したように、本防水型照明装置１は、光源部２が防水性を有しているので、外構部材に取付けて使用することができる。また、本防水型照明装置１は、直線状のパイプ４を用いて光源部２を構成している。また、光源部２を支持する支持部３も、支持部３の長手方向に沿って配設されるものとしている。即ち、本防水型照明装置１はバー状の照明装置として構成されることにより面的に照明することができるので、汎用性があり、パラペットや、ドア枠、アプローチ等、様々な外構部材に取付け一体化して使用することができる。例えば、図６は、本防水型照明装置１をパラペット１８の笠木１９下に螺子１７ａにより取付けた場合を示すものであるが、このように防水型照明装置１を配置することにより、パラペット１８表面を照明することができる。また、図７は、本防水型照明装置１をドア枠２０横に螺子１７ａにより取付けた場合を示すものであるが、このように防水型照明装置１を配置することにより、ドア枠２０付近の壁面２１を照明することができる。このように、本防水型照明装置１は、各外構部材毎に専用の照明装置を用意することを不要とし、経済性を向上できる。また、本防水型照明装置１は、デザインの共通化も図ることができ、該防水型照明装置１が取付けられる前記外構部材の美観を損ねることがなく、意匠性にも優れている。
【００２２】
また、本防水型照明装置１は、ライン状に複数の発光ダイオード５を並べることにより光源部２を構成することで、点光源であることにより照明ムラが生じ易いという発光ダイオード５の欠点を克服し、ムラの無い照明を実現している。また、本防水型照明装置１は、保持板９にクランプ８が配設されており、保持板９がクランプ８を介して光源部２を保持するので、光源部２を容易に着脱することができる。これにより、本防水型照明装置１は、それを輸送する際、或いは、支持部３を外構部材に取付ける際等において、光源部２を取外した状態で作業ができ、もって光源部２の損傷を防止することができる。また、本防水型照明装置１は、前記のことにより、清掃等のメンテナンスの際も、光源部２を取外すことができるので、当該作業を容易に行うことができる。また、本防水型照明装置１では、クランプ８のプレート１２の夫々の外側直近に取付板７、カバー板１０が夫々配設されているので、該プレート１２が外側に広がることによる光源部２の該クランプ８からの離脱を防止することができる。
【００２３】
また、本防水型照明装置１は、取付板７、保持板９、及びカバー板１０が、光源部２の長手方向に沿って、それよりより長く構成されることにより、該光源部２からの光が漏れることを防止し、更に、カバー板１０により、不要な方向へ光源部２からの光が広がることを防止することにより、照明領域を規定することができる。また、本防水型照明装置１は、前記のことにより、利用者の目に直接、光源部２からの光が入ることを極力避け、もって該利用者の感じるグレアを低減することができる。また、本防水型照明装置１は、カバー板１０の取付け位置を変更すること、或いは、該カバー板１０を大きさの異なるものに変更することにより、照明領域を任意に変更することができる。更に、本防水型照明装置１は、カバー板１０が磁気吸着により保持板９へ固定されているので、前記カバー板１０の、取付、取外し、或いは取付位置の変更等を容易に行うことができる。また、本防水型照明装置１は、前記のことに基づき、清掃等のメンテナンスに、カバー板１０を取外して作業を行うことができるので、当該作業を作業性良く行うこともできる。
【００２４】
本発明の他の実施形態に係る防水照明装置２２は、図８、及び９に示すように、防水型照明装置１に対し、支持部３を構成する取付板７、保持板９、カバー板１０及び固定板１５が、夫々取付板２３、保持板２４、カバー板２５及び固定板２６に変更される点が相違する。その他の構成要素は、防水型照明装置１と同一であるため、同一の符号を付し、説明を省略する。
【００２５】
前記取付板２３は、取付板７と同様に、光源部２の長手方向に沿って、該光源部２より長く構成された面であり、図９に示すように保持板２４と互いの一方の長辺において接合され、一体として構成されている。また、取付板２３には、取付板７と同様に、外装部材への取付の際、螺子等を通すための穴である取付穴７ａが設けられており、また、光源部２の非発光方向の長辺から突出した、側面視Ｌ字状の鍔２７も設けられている。
【００２６】
前記保持板２４は、保持板９と同様に、光源部２の長手方向に沿って、概光源部２より長く構成された面であり、保持板９と同様に、その長手方向に沿って、光源部２を保持するための複数のクランプ８が、リベット１１により取付けられている。また、保持板２４には、その長手方向に沿って、光源部２側の面から、垂直に突出した後、カバー板２５側方向に折り曲げられているリブ２８が設けられている。
【００２７】
前記カバー板２５は、カバー板１０と同様に、光源部２の長手方向に沿って、該光源部２より長く構成された面であり、その長手方向に沿って、光源部２側の面から垂直に突出し、リブ２８に引っ掛けることができるよう先端がフック状に折り曲げられたリブ２９が設けられている。また、カバー板２５には、カバー板１０と同様に、その長辺のうち、光源部２の非発光側の辺から、垂直に突出する取付板２３への固定用の平面である固定板２６が設けられている。固定板２６には、その長手方向に沿って、光源部２側の面に、取付板２３の鍔２７が嵌め込まれるリブ３０が設けられている。更に同面には、その長手方向に沿って、またリブ３０よりカバー板２５側の位置に、垂直に突出するリブ３１も備えられている。
【００２８】
なお、前記リブ２８、２９は、クランプ８と干渉する位置にも配設されている。このことへの対応は、図８に示すように、クランプ８と干渉する部分のリブ２８、２９をカットすることで対応する。この際、当該干渉する部分のリブ２８は、クランプ８のカバー板２５側のプレート１２に接する程度に残してカットすることが好ましい。これは、プレート１２がカバー板２５側に開くことを防止することができ、もってクランプ８からの光源部２の離脱をより確実に防止することができるからである。
【００２９】
以上のように、取付板２３、保持板２４、カバー板２５及び固定板２６が構成される防水照明装置２２では、取付板２３の鍔２７が、固定板２６のリブ３０に嵌め込まれること、及び、カバー板２５のリブ２９が、保持板２４のリブ２８に引っ掛けられることにより、カバー板２５が保持板２４（取付板２３）に固定される。このように、本防水照明装置２２では、簡便な構造により前記固定がなされているため、カバー板２５の取付、及び取外しを容易に行うことができる。
【００３０】
なお、本実施の形態で示した防水型照明装置１、及び防水照明装置２２は、本発明に係る階段照明装置の一態様にすぎず、本発明の要旨を逸脱しない範囲内で種々の変形実施が可能である。
【００３１】
例えば、上記においては、本防水型照明装置１を所定の外装部材１７に固定する際、螺子１７ａを使用するものとして説明したが、図外の粘着テープ等により、取付板７を所定の外装部材１７に貼り付けることにより当該固定を行ってもよい。
【産業上の利用可能性】
【００３２】
本発明に係る防水型照明装置は、外構部材に取付けて使用するだけでなく、防水性を有していることから、屋内の水周り用の照明装置としても使用することができる。
【符号の説明】
【００３３】
１、２２  防水型照明装置
２  光源部
３  支持部
４  パイプ
５  発光ダイオード
７、２３  取付板
８  クランプ
９、２４  保持板
１０、２５  カバー板
【図１】
2011119147.tif 000003
【図２】
2011119147.tif 000004
【図３】
2011119147.tif 000005
【図４】
2011119147.tif 000006
【図５】
2011119147.tif 000007
【図６】
2011119147.tif 000008
【図７】
2011119147.tif 000009
【図８】
2011119147.tif 000010
【図９】
2011119147.tif 000011